【手続補正書】
【提出日】平成19年4月24日(2007.4.24)
【手続補正１】
【補正対象書類名】明細書
【補正対象項目名】特許請求の範囲
【補正方法】変更
【補正の内容】
【特許請求の範囲】
【請求項１】
第１の凸形状の骨接触面を有する第１の部分、第２の凸形状の骨接触面を有する第２の部分、および前記第１の部分と前記第２の部分との間に延びる凹形状の骨接触面を有する中間部分を有し、中にキャビティが形成されている、上方殻部分と、
第１の凸形状の骨接触面を有する第１の部分、第２の凸形状の骨接触面を有する第２の部分、および前記第１の部分と前記第２の部分との間に延びる凹形状の骨接触面を有する中間部分を有し、中にキャビティが形成されている、下方殻部分と、
前記上方殻部分および前記下方殻部分の前記キャビティ内に配置されたスペーサと、を備える、椎間板用人工移植部材。
【請求項２】
前記上方殻部分が、前記第１の部分に沿って延びる少なくとも１つのリブおよび前記第２の部分に沿って延びる少なくとも１つのリブを含み、
前記下方殻部分が、前記第１の部分に沿って延びる少なくとも１つのリブおよび前記第２の部分に沿って延びる少なくとも１つのリブを含む、
請求項１に記載の椎間板用人工移植部材。
【請求項３】
前記リブのそれぞれが、テーパを有する前端およびテーパを有する後端を含む、請求項２に記載の椎間板用人工移植部材。
【請求項４】
前記リブが連続的である、請求項２に記載の椎間板用人工移植部材。
【請求項５】
前記スペーサが弾性を有する、請求項１に記載の椎間板用人工移植部材。
【請求項６】
前記スペーサがエラストマー成分から作製される、請求項５に記載の椎間板用人工移植部材。
【請求項７】
前記スペーサがヒドロゲルコアを有する、請求項５に記載の椎間板用人工移植部材。
【請求項８】
前記ヒドロゲルコアが、移植部材の高さを低減するように脱水可能である、請求項７に記載の椎間板用人工移植部材。
【請求項９】
前記上方殻部分および前記下方殻部分が、それぞれステンレススチール、チタン、形状記憶合金、ポリマー、炭素繊維および多孔性材料からなるグループから選択される生体適合性材料から作製される、請求項１に記載の椎間板用人工移植部材。
【請求項１０】
前記上方殻部分が、前端壁および対向する後端壁を含み、前記上方殻部分の前記端壁のそれぞれが、前記上方殻部分の前記第１の部分、前記第２の部分および前記中間部分に沿って延び、前記下方殻部分の方に向かってさらに延び、
前記下方殻部分が、前端壁および対向する後端壁を含み、前記下方殻部分の前記端壁のそれぞれが、前記下方殻部分の前記第１の部分、前記第２の部分および前記中間部分に沿って延び、前記上方殻部分の方に向かってさらに延び、その場合、前記下方殻部分の前記端壁および前記上方殻部分の前記端壁が、前記上方殻部分および前記下方殻部分の前記キャビティからの前記スペーサの抜け出しを阻止する、
請求項１に記載の椎間板用人工移植部材。
【請求項１１】
前記上方殻部分の前記前端および前記後端がテーパを有し、前記下方殻部分の前記前端および前記後端がテーパを有する、請求項１０に記載の椎間板用人工移植部材。
【請求項１２】
前記上方殻部分の前記キャビティが、前記第１の凸形状の骨接触面、前記第２の凸形状の骨接触面および前記凹形状の骨接触面にほぼ平行な弧状面によって画成され、
前記下方殻部分の前記キャビティが、前記第１の凸形状の骨接触面、前記第２の凸形状の骨接触面および前記凹形状の骨接触面にほぼ平行な弧状面によって画成される、
請求項１に記載の椎間板用人工移植部材。
【請求項１３】
前記上方殻部分が、前端壁および対向する後端壁を含み、前記後端壁のところに前記中間部分の前記凹形状面から上方に延びる上方フランジをさらに含み、前記上方フランジが、該上方フランジを貫通する開口であって、前記上方殻部分を上方の椎体に係合させる骨ねじを受ける開口を有し、
前記下方殻部分が、前端壁および対向する後端壁を含み、前記後端壁のところに前記中間部分の前記凹形状面から下方に延びる下方フランジをさらに含み、前記下方フランジが、該下方フランジを貫通する開口であって、前記下方殻部分を下方の椎体に係合させる骨ねじを受ける開口を有する、
請求項１に記載の椎間板用人工移植部材。
【請求項１４】
前記上方フランジの開口が、前記移植部材の長手方向軸線から前記前端の方に向かって角度Ａ１で上方に延びる中心軸線を有し、前記下方フランジの開口が、前記移植部材の長手方向軸線から前記前端の方に向かって角度Ａ２で下方に延びる中心軸線を有する、請求項１３に記載の椎間板用人工移植部材。
【請求項１５】
前端、後端、および前記前端と前記後端との間に延びる弧状の上方骨接触面を有する上方殻部分であって、前記上方面の反対側で上方殻部分内に形成されたキャビティを有し、前記上方面から上方に前記前端と前記後端との間に延びる少なくとも１つのリブをさらに含む、上方殻部分と、
前端、後端、および前記前端と前記後端との間に延びる弧状の下方骨接触面を有する下方殻部分であって、前記下方面の反対側で下方殻部分内に形成されたキャビティを有し、前記下方面から下方に前記前端と前記後端との間に延びる少なくとも１つのリブをさらに含む、下方殻部分と、
前記上方殻部分および前記下方殻部分の前記キャビティ内に配置されたスペーサと、を備える、椎間板用人工移植部材。
【請求項１６】
前記上方殻部分の前記少なくとも１つのリブが３つのリブを含み、前記下方殻部分の前記少なくとも１つのリブが３つのリブを含む、請求項１５に記載の椎間板用人工移植部材。
【請求項１７】
前記上方殻部分の前記前端および前記後端がテーパを有し、前記下方殻部分の前記前端および前記後端がテーパを有する、請求項１５に記載の椎間板用人工移植部材。
【請求項１８】
前記上方殻部分の前記少なくとも１つのリブの前記前端および前記後端が、テーパを有し、
前記下方殻部分の前記少なくとも１つのリブの前記前端および前記後端が、テーパを有する、
請求項１７に記載の椎間板用人工移植部材。
【請求項１９】
前記上方殻部分が、前記上方殻部分の前記上方面と下縁との間に第１の高さを有し、
前記下方殻部分が、前記下方殻部分の前記下方面と上縁との間に第２の高さを有し、
前記スペーサが、前記上方殻部分および前記下方殻部分の前記キャビティ内に拘束され、前記スペーサが、前記上方殻部分の前記下縁と前記下方殻部分の前記上縁との間に拘束されない高さをさらに有する、
請求項１５に記載の椎間板用人工移植部材。
【請求項２０】
前記スペーサの前記拘束されない高さが、前記第１の高さと前記第２の高さを合わせたものより高い、請求項１９に記載の椎間板用人工移植部材。
【請求項２１】
前記スペーサが、前記上方殻部分の前記下縁と前記下方殻部分の前記上縁との間に延びる対向する凹形状の側壁を含む、請求項１９に記載の椎間板用人工移植部材。
【請求項２２】
前端、後端、および前記前端と前記後端との間に延びる上方骨接触面を有し、前記上方面の反対側にあるキャビティの周りに延びる下縁をさらに含み、前記下縁から下方に延びる少なくとも１つの突出部を含む、上方殻部分と、
前端、後端、および前記前端と前記後端との間に延びる下方骨接触面を有し、前記下方面の反対側にあるキャビティの周りに延びる上縁をさらに含み、前記上縁から下方に延びる少なくとも１つの凹所を含み、前記少なくとも１つの凹所が前記上方殻部分の前記少なくとも１つの突出部と整列可能である、下方殻部分と、
前記上方殻部分および前記下方殻部分の前記キャビティ内に配置された弾性スペーサと、を備え、前記少なくとも１つの突出部が、移植部材が圧縮されたとき前記少なくとも１つの凹所に受けられ前記スペーサの剪断応力を制限する、
椎間板用人工移植部材。
【請求項２３】
前記上方殻部分が、前端壁、対向する後端壁、および前記前端壁と前記後端壁との間に延びる１対の対向する側壁を含み、前記下縁が前記側壁および前記端壁の周りに延び、
前記下方殻部分が、前端壁、対向する後端壁、および前記前端壁と前記後端壁との間に延びる１対の対向する側壁を含み、前記上縁が前記側壁および前記端壁の周りに延びる、
請求項２２に記載の椎間板用人工移植部材。
【請求項２４】
前記少なくとも１つの突出部が、前記側壁および前記端壁のそれぞれのところの突出部を含み、
前記少なくとも１つの凹所が、前記側壁および前記端壁のそれぞれのところの凹所を含み、前記凹所が対応する１つの前記突出部と整列可能である、
請求項２３に記載の椎間板用人工移植部材。
【請求項２５】
前記上方殻部分の前記上方面が弧状であり、前記下方殻部分の前記下方面が弧状である、請求項２２に記載の椎間板用人工移植部材。
【請求項２６】
前記上方殻部分の前記上方面がほぼ平坦であり、前記下方殻部分の前記下方面がほぼ平坦である、請求項２２に記載の椎間板用人工移植部材。
【請求項２７】
一部が円筒形の第１のローブ、一部が円筒形の第２のローブ、および前記第１のローブと前記第２のローブとの間に延びる中間部分によって画成されたキャビティを有する上方殻部分であって、前記後端のところに前記中間部分で前記後端から上方に延びる上方フランジをさらに含み、前記上方フランジが、該上方フランジを貫通する開口であって前記上方殻部分を上方の椎体に係合させる骨ねじを受ける開口を有する、上方殻部分と、
一部が円筒形の第１のローブ、一部が円筒形の第２のローブ、および前記第１のローブと前記第２のローブとの間に延びる中間部分によって画成されたキャビティを有する下方殻部分であって、前記後端のところに前記中間部分で前記後端から下方に延びる下方フランジをさらに含み、前記下方フランジが、該下方フランジを貫通する開口であって前記下方殻部分を下方の椎体に係合させる骨ねじを受ける開口を有する、下方殻部分と、
前記上方殻部分および前記下方殻部分の前記キャビティ内に配置されたスペーサと、
を備える、椎間板用人工移植部材。
【請求項２８】
前記上方フランジの開口が、前記移植部材の長手方向軸線から前記前端の方に向かって角度Ａ１で上方に延びる中心軸線を有し、前記下方フランジの開口が、前記移植部材の長手方向軸線から前記前端の方に向かって角度Ａ２で下方に延びる中心軸線を有する、請求項２７に記載の椎間板用人工移植部材。
【請求項２９】
前記上方殻部分の前記中間部分が、前記上方殻部分の前記第１のローブと前記第２のローブとの間に延びる凹形状面を含み、
前記下方殻部分の前記中間部分が、前記下方殻部分の前記第１のローブと前記第２のローブとの間に延びる凹形状面を含む、
請求項２７に記載の椎間板用人工移植部材。
【請求項３０】
前記上方殻部分が、前記両端の間に前記第１のローブに沿って延びる少なくとも１つの細長いリブ、および前記両端の間に前記第２のローブに沿って延びる少なくとも１つの細長いリブを含み、
前記下方殻部分が、前記両端の間に前記第１のローブに沿って延びる少なくとも１つの細長いリブ、および前記両端の間に前記２のローブに沿って延びる少なくとも１つの細長いリブを含む、
請求項２７に記載の椎間板用人工移植部材。
【請求項３１】
前記上方殻部分が前端壁および対向する後端壁を含み、各端壁が前記第１のローブと前記第２のローブとの間に延び、
前記下方殻部分が前端壁および対向する後端壁を含み、各端壁が前記第１のローブと前記第２のローブとの間に延びる、
請求項２７に記載の椎間板用人工移植部材。
【請求項３２】
一部が円筒形の第１のローブ、一部が円筒形の第２のローブ、および前記第１のローブと前記第２のローブとの間に延びる中間部分によって画成されたキャビティを有する上方殻部分と、
一部が円筒形の第１のローブ、一部が円筒形の第２のローブ、および前記第１のローブと前記第２のローブとの間に延びる中間部分によって画成されたキャビティを有する下方殻部分と、
前記上方殻部分および前記下方殻部分の前記キャビティ内に配置されたスペーサと、
を備える、椎間板用人工移植部材。
【請求項３３】
前記上方殻部分が、前端壁および対向する後端壁を含み、前記端壁のそれぞれが前記第１の円筒形のローブと前記第２の円筒形のローブとの間に延び、
前記下方殻部分が、前端壁および対向する後端壁を含み、前記端壁のそれぞれが前記第１の円筒形のローブと前記第２の円筒形のローブとの間に延びる、
請求項３２に記載の椎間板用人工移植部材。
【請求項３４】
前記スペーサが、第１のスペーサおよび第２のスペーサを含み、前記第１のスペーサが前記第２のスペーサより長い、請求項３２に記載の椎間板用人工移植部材。
【請求項３５】
前記第１のスペーサおよび前記第２のスペーサが、前記第１のスペーサと前記第２のスペーサとの間に延びる介入部分によって相互に接続される、請求項３４に記載の椎間板用人工移植部材。
【請求項３６】
前記スペーサが、第１のスペーサおよび第２のスペーサを含み、前記第１のスペーサの高さが、前記第２のスペーサの高さより高い、請求項３２に記載の椎間板用人工移植部材。
【請求項３７】
前記第１のスペーサおよび前記第２のスペーサが、前記第１のスペーサと前記第２のスペーサとの間に延びる介入部分によって相互に接続される、請求項３６に記載の椎間板用人工移植部材。
【請求項３８】
前記スペーサが、第１のスペーサおよび第２のスペーサを含み、前記第１のスペーサおよび第２のスペーサは、それぞれ、前湾を確立するため椎間板のスペースに前方へ挿入されるようにテーパが付けられた高さを有する、請求項３２に記載の椎間板用人工移植部材。
【請求項３９】
前記上方殻部分が、前記上方殻部分の上方面と下縁との間に第１の高さを有し、
前記下方殻部分が、前記下方殻部分の下方面と上縁との間に第２の高さを有し、
前記スペーサが、前記上方殻部分および前記下方殻部分の前記キャビティ内に前記殻部分の高さに沿って部分的に拘束され、前記スペーサが、前記上方殻部分の前記下縁と前記下方殻部分の前記上縁との間に拘束されない高さをさらに有する、
請求項３２に記載の椎間板用人工移植部材。
【請求項４０】
前記スペーサの前記拘束されない高さが、前記第１の高さおよび前記第２の高さを合わせたものより高い、請求項３９に記載の椎間板用人工移植部材。
【請求項４１】
前記上方殻部分の前記ローブのそれぞれが、前記ローブから上方に延びる少なくとも１つのリブを含み、
前記下方殻部分の前記ローブのそれぞれが、前記ローブから下方に延びる少なくとも１つのリブを含む、
請求項３２に記載の椎間板用人工移植部材。
【請求項４２】
前記リブのそれぞれが、前記ローブの長さに沿って連続している、請求項４１に記載の椎間板用人工移植部材。
【請求項４３】
椎間板のスペースに接近するステップと、
近位端と遠位端との間に延びる作業通路を有するスリーブを隣接の前記椎間板のスペースに挿入するステップと、
前記スリーブを通して前記椎間板のスペースに移植部材挿入場所を用意するステップと、
上方殻部分、下方殻部分、および前記上方殻部分と前記下方殻部分との間の弾性スペーサを有する移植部材を用意するステップと、
前記移植部材に圧縮力を加えて前記上方殻部分と前記下方殻部分との間で前記弾性スペーサを圧縮するステップと、
前記移植部材を前記スリーブの前記作業通路に挿入するステップと、
前記移植部材を前記作業通路を通して前記椎間板のスペースの前記移植部材挿入場所に押し込むステップと、
を含む、椎間板用人工移植部材を脊柱の椎間板のスペースに挿入する方法。
【請求項４４】
前記移植部材を用意するステップが、ほぼ円筒形の移植部材を用意するステップを含む、請求項４３に記載の方法。
【請求項４５】
前記椎間板のスペースに接近するステップが、前記椎間板のスペースに後方から接近するステップを含み、
前記スリーブが円筒形の作業通路を含む、
請求項４４に記載の方法。
【請求項４６】
第２の場所の椎間板のスペースに接近するステップと、
近位端と遠位端との間に延びる円筒形の作業通路を有するスリーブを前記第２の場所の隣接の前記椎間板のスペースに挿入するステップと、
前記スリーブを通して前記椎間板のスペースに第２の移植部材挿入場所を用意するステップと、
上方殻部分、下方殻部分、および前記上方殻部分と前記下方殻部分との間の弾性スペーサを有する第２の移植部材を用意するステップと、
前記第２の移植部材に圧縮力を加えて前記上方殻部分と前記下方殻部分との間の前記弾性スペーサを圧縮するステップと、
前記第２の移植部材を前記スリーブの前記作業通路に挿入するステップと、
前記第２の移植部材を前記作業通路を通して前記椎間板のスペースの前記第２の移植部材挿入場所に押し込むステップと、
をさらに含む、請求項４５に記載の方法。
【請求項４７】
前記スリーブが、１対の隣接した作業通路を有する二重バレルスリーブである、請求項４３に記載の方法。
【請求項４８】
前記移植部材を用意するステップが、介入部分によって相互接続された一部が円筒形の１対のローブをそれぞれ含む前記上方殻部分および前記下方殻部分を有し、単一のユニットとして前記スリーブの前記隣接した作業通路を通して挿入されるように構成された移植部材を用意するステップを含む、請求項４７に記載の方法。
【請求項４９】
前記椎間板のスペースに接近するステップが、前記椎間板のスペースに側方から接近するステップを含む、請求項４７に記載の方法。
【請求項５０】
前記椎間板のスペースに接近するステップが、前記椎間板のスペースに前方側方から接近するステップを含む、請求項４７に記載の方法。
【請求項５１】
前記椎間板のスペースに接近するステップが、前記椎間板のスペースに前方から接近するステップを含む、請求項４７に記載の方法。
【請求項５２】
椎間板のスペースに接近するステップと、
前記椎間板のスペースに移植部材挿入場所を用意するステップと、
上方殻部分、下方殻部分、および前記上方殻部分と前記下方殻部分との間の脱水可能なヒドロゲルコアを有する弾性スペーサを有する移植部材を用意するステップと、
前記ヒドロゲルコアを脱水して前記上方殻部分と前記下方殻部分との間の前記スペーサの高さを低減するステップと、
前記移植部材を前記椎間板のスペースに挿入するステップと、
前記ヒドロゲルコアに再加水して、前記上方殻部分および前記下方殻部分が隣接する椎体に接触するまで前記椎間板のスペースで前記スペーサを拡張するステップと、
を含む、椎間板用人工移植部材を脊柱の椎間板のスペースに挿入する方法。
【請求項５３】
近位端と遠位端との間に延びる作業通路を有するスリーブを隣接する前記椎間板のスペースに挿入するステップをさらに含み、
前記移植部材を挿入するステップが、前記移植部材を前記スリーブの前記作業通路を通して挿入するステップを含む、
請求項５２に記載の方法。
【請求項５４】
前記上方殻部分が、前記上方殻部分の下縁から下方に延びる少なくとも１つの突出部を含み、
前記下方殻部分が、前記下方殻部分の上縁から下方に延びる少なくとも１つの凹所を含み、前記少なくとも１つの凹所が、前記上方殻部分の前記少なくとも１つの突出部と整列可能であり、前記少なくとも１つの突出部が、前記移植部材が圧縮されたとき前記少なくとも１つの凹所内に配置可能である、
請求項１に記載の椎間板用人工移植部材。